(57)【要約】【課題】電源ケーブルの温度上昇に伴う消費電力の変化が生じても、より正しい残り使用時間を表示できるようにする。【解決手段】電源ケーブルを介して電池パックから電力を受け取る電子機器（１０１）は、所定時間を設定するためのタイマー手段と、前記電源ケーブルが有するＤＣ／ＤＣコンバータの温度を検出する手段と、前記電池パックの残量値を取得する手段と、前記電池パックの実消費電力値を取得する手段と、前記残量値および前記実消費電力値から残り使用時間を算出する手段と、前記温度毎の、前記所定時間の経過における前記残量値および前記実消費電力値のデータテーブルを生成する手段と、前記データテーブルを記憶する手段と、前記データテーブルを参照して、推定残り使用時間を算出する手段と、前記推定残り使用時間を表示する表示手段と、を有することを特徴とする。【選択図】図１
2019007804.tif 000002
【特許請求の範囲】
【請求項１】
電源ケーブルを介して電池パックから電力を受け取る電子機器であって、
所定時間を設定するためのタイマー手段と、
前記電源ケーブルが有するＤＣ／ＤＣコンバータの温度を検出する手段と、
前記電池パックの残量値を取得する手段と、
前記電池パックの実消費電力値を取得する手段と、
前記残量値および前記実消費電力値から残り使用時間を算出する手段と、
前記温度毎の、前記所定時間の経過における前記残量値および前記実消費電力値のデータテーブルを生成する手段と、
前記データテーブルを記憶する手段と、
前記データテーブルを参照して、推定残り使用時間を算出する手段と、
前記推定残り使用時間を表示する表示手段と、
を有することを特徴とする電子機器。
【請求項２】
前記データテーブルから前記推定残り使用時間が算出できない場合は、前記残り使用時間を前記表示手段に表示させることを特徴とする請求項１に記載の電子機器。
【請求項３】
前記電池パックは、前記ＤＣ／ＤＣコンバータの温度を検出する手段と、前記電池パックが前記データテーブルを生成して記憶する手段と、を有することを特徴とする請求項１又は請求項２に記載の電子機器。
【発明の詳細な説明】
【技術分野】
【０００１】
本発明は、電源ケーブルを介して電池パックから電力を受け取る電子機器に関する。
【背景技術】
【０００２】
電池パックは、残量の減少に従って出力電圧が低下するが、電子機器の多くは定電力負荷であり、電源ケーブルを介して電力を供給すると、電池パックからの出力電流が増加して、電源ケーブルの損失も増加することになる。
【０００３】
このような損失に対しては、電池パックの電圧と放電電流から実際の消費電力を求めて、使用可能な残り時間を求める方法がある（特許文献１参照）。
【先行技術文献】
【特許文献】
【０００４】
【特許文献１】特開２００２−１５７８０号公報
【発明の概要】
【発明が解決しようとする課題】
【０００５】
電池パックから電子機器に電力を供給する方法として、電源ケーブルにＤＣ／ＤＣコンバータ等の昇圧機能を持たせる場合がある。電源ケーブルに昇圧機能を持たせると、電子機器に対して安定した電圧を供給可能になり、電子機器の駆動時のラッシュ電流に対する電圧低下が抑えられる効果が期待できる。その反面、ＤＣ／ＤＣコンバータの昇圧の変換効率が使用時の温度上昇によって大きく変動するため、電源ケーブル内での損失が変動して、電池パックの残量から残り使用時間を算出する場合に誤差を生じる要因になっていた。
【０００６】
特許文献１に記載された方法では、この温度上昇に伴う消費電力の変動が生じた場合に、残り使用時間を適切に補正することができなかった。
【０００７】
そこで、本発明は、電源ケーブルの温度上昇に伴う消費電力の変化が生じても、より正しい残り使用時間を表示可能な電子機器を提供することを目的とする。
【課題を解決するための手段】
【０００８】
上記の目的を達成するために、本発明に係る電子機器は、
電源ケーブルを介して電池パックから電力を受け取る電子機器であって、所定時間を設定するためのタイマー手段と、前記電源ケーブルが有するＤＣ／ＤＣコンバータの温度を検出する手段と、前記電池パックの残量値を取得する手段と、前記電池パックの実消費電力値を取得する手段と、前記残量値および前記実消費電力値から残り使用時間を算出する手段と、前記温度毎の、前記所定時間の経過における前記残量値および前記実消費電力値のデータテーブルを生成する手段と、前記データテーブルを記憶する手段と、前記データテーブルを参照して、推定残り使用時間を算出する手段と、前記推定残り使用時間を表示する表示手段と、を有することを特徴とする。
【発明の効果】
【０００９】
本発明に係る電子機器によれば、電源ケーブルの温度上昇に伴う消費電力の変化が生じても、より正しい残り使用時間を表示することができる。
【図面の簡単な説明】
【００１０】
【図１】実施形態１における電子機器１０１、電源ケーブル１１３および電池パック１２３に含まれる構成要素の例を説明するためのブロック図である。
【図２】電子機器１０１の動作例を説明するためのフローチャートである。
【図３】通信データ１取得を説明するためのサブフローチャートである。
【図４】Ｗ１算出を説明するためのサブフローチャートである。
【図５】使用残時間ｔ１算出を説明するためのサブフローチャートである。
【図６】通信データ２取得を説明するためのサブフローチャートである。
【図７】Ｗ２算出を説明するためのサブフローチャートである。
【図８】使用残時間ｔ２算出を説明するためのサブフローチャートである。
【図９】推定使用残時間ｔｒ算出を説明するためのサブフローチャートである。
【図１０】温度、経過時間、実消費電力および残量の関係を記憶したデータテーブルの例を示す図である。
【図１１】区分線形補間で１５℃のデータテーブルを追加生成する例を説明するための図である。
【図１２】実施形態２における電子機器２０１、電源ケーブル２０３および電池パック２０６に含まれる構成要素の例を説明するためのブロック図である。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１における電子機器１０１、電源ケーブル１１３および電池パック１２３に含まれる構成要素の例を説明するためのブロック図である。
【００１３】
電子機器１０１は、図１に示すように、制御部１０２、演算部１０３、記憶部１０４、温度検出部１０５、通信部１０６、電源部１０７、表示部１０８、通信端子１０９、温度端子１１０、正極端子１１１および負極端子１１２を有する。ただし、演算部１０３、記憶部１０４、温度検出部１０５および通信部１０６は、制御部１０２に含まれる。
【００１４】
電源ケーブル１１３は、図１に示すように、ＤＣ／ＤＣコンバータ１１４、感温素子１１５（例：サーミスタ）、通信端子１１６、温度端子１１７、正極端子１１８、負極端子１１９、通信端子１２０、正極端子１２１および負極端子１２２を有する。
【００１５】
電池パック１２３は、図１に示すように、制御部１２４、演算部１２５、電圧検出部１２６、温度検出部１２７、電流検出部１２８、記憶部１２９、通信部１３０、感温素子１３１（例：サーミスタ）、電池部１３２、抵抗器１３３、通信端子１３４、正極端子１３５および負極端子１３６を有する。ただし、演算部１２５、電圧検出部１２６、温度検出部１２７、電流検出部１２８、記憶部１２９および通信部１３０は、制御部１２４に含まれる。
【００１６】
電子機器１０１は、例えばデジタルカメラ、ビデオカメラ等の表示部を有する機器であり、電池パック１２３から電力供給を受けて動作する。
【００１７】
電池パック１２３には、制御部１２４、電池部１３２および周辺回路が内蔵されている。電池パック１２３は、正極端子１３５および負極端子１３６から電子機器１０１に電力を供給すると共に、非図示の充電器から電力を受けて電池部１３２の充電を行う。更に電池パック１２３は、制御部１２４の通信部１３０のデータを通信端子１３４に出力し、電源ケーブル１１３の通信端子１２０および１１６を介して電子機器１０１の通信端子１０９に接続することで、電子機器１０１との通信を可能にしている。
【００１８】
電池パック１２３の電圧検出部１２６は、電池部１３２の電圧を検出する。電池部１３２の出力電流は抵抗器１３３を介して外部に供給されるため、抵抗器１３３の両端の電圧を電流検出部１２８が検出して出力電流値として判断する。電池部１３２の充電電流は、抵抗器１３３を介して供給されるため、抵抗器１３３の両端の電圧を電流検出部１２８が検出して充電電流値として判断する。電圧検出部１２６で検出した電池部１３２の電圧の値と、電流検出部１２８で検出した出力電流または充電電流の値とは、電子機器１０１からの要求に対応して通信部１３０から出力される。
【００１９】
演算部１２５は、電池部１３２の出力電流と充電電流の値を時間で積分して電池部１３２の残量を算出し、更に記憶部１２９に残量値として記憶する。
【００２０】
電池パック１２３の感温素子１３１は電池部１３２の温度を検出可能に配置され、感温素子１３１の状態は温度検出部１２７で検出される。温度検出部１２７で検出された温度情報は、電池部１３２と正極端子１３４または負極端子１３６に直列に介挿される非図示のスイッチを制御して保護を行うために用いられる。またこの温度情報は、演算部１２５における残量の補正制御に用いられる。
【００２１】
電池部１３２に見られる一般的な特性として、電池部１３２の温度環境による放電効率の変化がある。例えば、低温環境では電池部の放電効率が低下するため、基となる残量のデータに対して所定の温度係数を乗算して、その温度環境で出力可能な残量の値を算出する。この算出された残量データは、記憶部１２９に記憶され、電子機器１０１からの要求に対応して通信部１３０から出力される。
【００２２】
電池パック１２３の通信部１３０から送信された通信データは、通信端子１３４に出力され、電源ケーブル１１３の通信端子１２０および１１６を介して、電子機器１０１の通信端子１０９に入力される。電子機器１０１の通信端子１０９に入力された通信データは、制御部１０２の通信部１０６に伝達され、演算部１０３で残り使用時間が算出される。この算出された残り使用時間を電子機器１０１に内蔵する表示部１０８に表示することにより、ユーザは電池パック１２３の残り使用時間情報を得ることが可能になる。
【００２３】
電源ケーブル１１３は、電池パック１２３の電池部１３２の電力を電子機器１０１に供給するためのケーブルである。
【００２４】
電池パック１２３の正極端子１３５は、電源ケーブル１１３の正極端子１２１に接続される。電池パック１２３の負極端子１３６は、電源ケーブル１１３の負極端子１２２に接続される。
【００２５】
電源ケーブル１１３の正極端子１２１と負極端子１２２の間に供給された電池部１３２の電圧は、ＤＣ／ＤＣコンバータ１１４により所定の電圧に昇圧されて、電子機器１０１の正極端子１１１と負極端子１１２に供給される。この電源ケーブル１１３から供給された電力は電源部１０７から電子機器１０１の構成要素のすべてに供給される。
【００２６】
ＤＣ／ＤＣコンバータ１１４は、動作に伴って温度が上昇すると、電圧変換効率が大きく変動することになる。この電圧変換効率の変動は、電池パック１２３が送信する残量データと消費電力に関する情報から残り使用時間を算出する際に、残り使用時間の誤差として問題となる。そこで、実施形態１では、電池パック１２３の電力を電源ケーブル１１３のＤＣ／ＤＣコンバータ１１４で昇圧して電子機器１０１に供給する場合の、残り使用時間の補正方法について説明する。
【００２７】
電源ケーブル１１３のＤＣ／ＤＣコンバータ１１４の温度を検出するための感温素子１１５を設け、温度端子１１７に接続する。電源ケーブル１１３の温度端子１１７は電子機器１０１の温度端子１１０に接続され、制御部１０２の温度検出部１０５でＤＣ／ＤＣコンバータ１１４の温度が検出される。
【００２８】
制御部１０２の演算部１０３は、電池パック１２３の通信部１３０から伝達された電圧データおよび電流データから実消費電力値を算出すると共に、温度検出部１０５で検出したＤＣ／ＤＣコンバータ１１４の温度データを記憶部１０４に記憶する。この記憶されるデータは、ＤＣ／ＤＣコンバータ１１４の温度毎に、残量と実消費電力のデータテーブルとして生成されている。温度状態が所定の温度異なる条件になると、その都度、データテーブルを生成して保存する。
【００２９】
次に、電子機器１０１が行う推定残り時間表示のフローの説明を行う。
【００３０】
電子機器１０１は、起動時にＤＣ／ＤＣコンバータ１１４の温度測定を行うと共に、電池パック１２３から残量データ、電圧データおよび電流データの取得を行う。
【００３１】
電子機器１０１は、この電圧データと電流データを乗算して実消費電力値を算出する。また取得した残量データ（Ｗｈ）を算出した実消費電力値で除算することで、第一の残り使用時間を算出して、表示部１０８に表示を行う。
【００３２】
次に記憶部１０４に記憶されているデータテーブルを参照し、取得したＤＣ／ＤＣコンバータ１１４の温度における消費電力の変動が推定可能なデータを検索する。
【００３３】
取得したＤＣ／ＤＣコンバータ１１４の温度における残り使用時間の推定に必要なデータテーブルがある場合、参照したデータテーブルを基に、以降の消費電力の変動を推定して推定残り使用時間を算出して表示を行う。
【００３４】
取得したＤＣ／ＤＣコンバータ１１４の温度における残り使用時間の推定に必要なデータテーブルがない場合、従来の算出方法によって残り使用時間を算出して表示を行う。
【００３５】
以下、図２を参照して、電子機器１０１の動作例を説明する。
【００３６】
図２において、Ｓ１０１はＳＴＡＲＴ、Ｓ１０２はタイマー１スタート、Ｓ１０３は温度データＴ１取得、Ｓ１０４は通信データ１取得、Ｓ１０５はＷ１算出、Ｓ１０６は使用残時間ｔ１算出、Ｓ１０７はメモリに記憶、Ｓ１０８は表示部に表示である。Ｓ１０９はタイマー１タイムアウト、Ｓ１１０はタイマー２スタート、Ｓ１１１は温度データＴ２取得、Ｓ１１２は通信データ２取得、Ｓ１１３はデータテーブル有無、Ｓ１１４はＷ２算出、Ｓ１１５は使用残時間ｔ２算出、Ｓ１１６はメモリに記憶である。Ｓ１１７は表示部に表示、Ｓ１１８はタイマー２タイムアウト、Ｓ１１９は推定使用残時間ｔｒ算出である。
【００３７】
電子機器１０１に駆動電力が供給されると、Ｓ１０１で制御をスタートする。Ｓ１０２では、通信の設定を行う所定時間のタイマー１がスタートする。Ｓ１０３では、ＤＣ／ＤＣコンバータの温度データＴ１の取得が行われる。
【００３８】
Ｓ１０４から図３のサブステップに移行する。Ｓ１０４では、通信データ１の取得が行われる。ＳＳ１０１では、電池パック１２３から残量ＲＣ１が取得される。ＳＳ１０２では、電池パック１２３から電圧Ｖ１が取得される。ＳＳ１０３では、電池パック１２３から電流Ｉ１が取得される。ＳＳ１０３からＳ１０５に移行する。
【００３９】
Ｓ１０５から図４のサブステップに移行する。Ｓ１０５では、実消費電力Ｗ１の算出が行われる。ＳＳ２０１では、Ｗ１＝Ｖ１×Ｉ１により実消費電力Ｗ１が算出される。ＳＳ２０１からＳ１０６に移行する。
【００４０】
Ｓ１０６から図５のサブステップに移行する。Ｓ１０６では、使用残時間ｔ１の算出が行われる。ＳＳ３０１では、ｔ１＝ＲＣ１／Ｗ１により使用残時間ｔ１が算出される。ＳＳ３０１からＳ１０７に移行する。
【００４１】
Ｓ１０７では、温度データＴ１、実消費電力Ｗ１、および／または通信データ１での取得データが電子機器１０１の記憶部１０４に記憶される。Ｓ１０７で記憶された温度データＴ１、通信データ１および／または実消費電力Ｗ１を使用して、開始時温度Ｔ１におけるデータテーブルが生成される。
【００４２】
Ｓ１０８では、使用残時間ｔ１の情報が表示部１０８に表示される。Ｓ１０９では、タイマー１がタイムアウトするまで待機する。Ｓ１０９でタイマー１がタイムアウトすると、Ｓ１１０に移行する。
【００４３】
Ｓ１１０では、通信の設定を行う所定時間のタイマー２がスタートする。Ｓ１１１では、ＤＣ／ＤＣコンバータの温度データＴ２の取得が行われる。
【００４４】
Ｓ１１２から図６のサブステップに移行する。Ｓ１１２では、通信データ２の取得が行われる。ＳＳ４０１では、電池パック１２３から残量ＲＣ２が取得される。ＳＳ４０２では、電池パック１２３から電圧Ｖ２が取得される。ＳＳ４０３では、電池パック１２３から電流Ｉ２が取得される。ＳＳ４０３からＳ１１３に移行する。Ｓ１１３では、データテーブルの有無検出が行われる。Ｓ１１３で、記憶部１０４に温度Ｔ２時の区分線形補間を行うためのデータテーブルがない場合、Ｓ１１４に移行する。
【００４５】
Ｓ１１４から図７のサブステップに移行する。Ｓ１１４では、実消費電力Ｗ２の算出が行われる。ＳＳ５０１では、Ｗ２＝Ｖ２×Ｉ２により実消費電力Ｗ２が算出される。ＳＳ５０１からＳ１１５に移行する。
【００４６】
Ｓ１１５から図８のサブステップに移行する。Ｓ１１５では、使用残時間ｔ２の算出が行われる。ＳＳ６０１では、ｔ２＝ＲＣ２／Ｗ２により使用残時間ｔ２が算出される。ＳＳ６０１からＳ１１６に移行する。Ｓ１１６では、温度データＴ２、実消費電力Ｗ２、および／または通信データ２での取得データが電子機器１０１の記憶部１０４に記憶される。Ｓ１１６で記憶された温度データＴ２、通信データ２を使用して、開始時温度Ｔ１におけるタイマー１経過時間後のデータテーブルが生成される。
【００４７】
Ｓ１１７では、使用残時間ｔ２の情報が表示部１０８に表示される。Ｓ１１８では、タイマー２がタイムアウトするまで待機する。Ｓ１１８でタイマー２がタイムアウトすると、Ｓ１０２に戻る。
【００４８】
このＳ１０２からＳ１１８までの一連のフローは、電子機器１０１による動作が終了するまで継続して行われる。
【００４９】
Ｓ１１３で、記憶部１０４に温度Ｔ２時の区分線形補間を行うためのデータテーブルがある場合、Ｓ１１９から図９のサブステップに移行する。Ｓ１１９では、推定使用残時間ｔｒの算出が行われる。ＳＳ７０１では、温度Ｔ２のデータが参照される。ＳＳ７０２でデータテーブルが参照される。ここで、図１０を参照して、ＳＳ７０２で参照されるデータテーブルの例を説明する。図１０は、温度が５℃、２５℃または４０℃である場合における、経過時間、実消費電力および残量の関係を記憶したデータテーブルの例を示す。
【００５０】
図１０のデータテーブルを生成する場合、データの取得は１０分間隔で取得されている。電池部１３２の満充電容量は３．０Ｗｈのものが使用されている。開始温度が５℃では、開始時の実消費電力は１．９５Ｗ、開始１０分後の実消費電力は１．９３Ｗ、開始２０分後の実消費電力は１．９０Ｗと変化している。開始温度が５℃では、９０分後に残量ＲＣが０になり、放電終了になっている。開始温度が２５℃では、開始時の実消費電力は１．８５Ｗ、開始１０分後の実消費電力は１．８７Ｗ、開始２０分後の実消費電力は１．９０Ｗと変化している。開始温度が２５℃では、８６分後に残量ＲＣが０になり、放電終了になっている。尚、図１０のデータテーブルを生成する電子機器１０１は、残量ＲＣが０になると通信データの取得を行い、残量が０時点でのデータテーブルを生成可能にしている。
【００５１】
ＳＳ７０３では、データテーブルの消費電力補間が行われる。
【００５２】
次に、図１１を参照して、図１０のデータテーブルにおける区分線形補間の例を説明する。電池パックからの温度データが１５℃の場合、１５℃におけるデータテーブルを区分線形補間計算により生成する。この時、データテーブルの５℃および２５℃におけるデータを採用する。先ず２５℃では８６分後の実消費電力値が有り、５℃では無いため、５℃における推定消費電力値の算出を行う。図１１では、８６分後の５℃の推定消費電力の求め方の例が示されている。５℃では、８０分後に２．２９Ｗで９０分後に２．４９Ｗであるため、８６分後の推定消費電力値は、２．２９＋（（２．４９−２．２９）×（６／１０））となり、２．４１Ｗと推定される。
【００５３】
ＳＳ７０４では、温度Ｔ２時の推定消費電力が算出される。図１１の例では、１５℃時の推定消費電力を求める。図１１の例では、放電開始４０分後の推定消費電力の求め方の例が示されている。放電開始４０分後において、５℃の実消費電力が１．９０Ｗ、２５℃の実消費電力が２．００Ｗであるため、１５℃の推定消費電力値は、２．００＋（（１．９０−２．００）／２）となり、１．９５０Ｗと推定される。同様にして、１０分間隔の推定消費電力値を求めて記憶部１０４に記憶する。
【００５４】
ＳＳ７０５では、温度Ｔ２時の推定残量が算出される。図１１の例では、放電開始４０分後の推定残量の求め方の例が示されている。
放電開始３０分後の推定消費電力が１．９１０Ｗ、推定残量が２．０４９Ｗｈである。また、放電開始４０分後の推定消費電力が１．９５０Ｗであるため、放電開始４０分後の推定残量は、２．０４９−（（１．９１０＋（１．９５０−１．９１０）／２）／６）となり、１．７２７Ｗｈと推定される。同様にして、１０分間隔の推定残量値を求めて記憶部１０４に記憶する。
【００５５】
ＳＳ７０６では、推定使用残時間が算出される。ここでは、推定残量が０になり放電が終了するまでの推定時間を求める。図１１の例では、８０分後の推定残量が０．３２３Ｗｈであることから、８０分後からの推定残時間の求め方の例を示している。８０分後の推定消費電力が２．４１５Ｗ、８６分後の推定消費電力が２．６３５Ｗであることから、８０分後以降の推定消費電力は、２．４１５＋（（２．６３５−２．４１５）／２）となり、２．５２５Ｗと推定される。そして、８０分後の推定残量が０．３２３Ｗｈであることから、８０分後からの推定残時間は、（０．３２３／２．５２５）×６０となり、約７分と推定される。よって、１５℃の満充電状態からの推定残り時間は、１時間２７分となる。仮に、温度１５℃で満充電状態から一般的な残量表示を行う場合、３．０Ｗｈ／１．９００Ｗで算出され、１時間３４分の表示を行うことになる。
【００５６】
実施形態１の推定残り時間表示を行うことにより、残り使用時間表示の誤差を約７分改善することが可能になる。
【００５７】
尚、データの取得間隔は、電池部の残量に応じて適宜変更しても良い。残量の減少に応じてデータの取得間隔を短くすることにより、更に精度良く残り使用時間を推定することが可能になる。
【００５８】
また、取得した通信データから算出した残量と実消費電力が、生成したデータテーブルの推定残量および推定消費電力のデータと一致しなくても、データテーブルを参照することで、残り使用時間の表示精度を改善することが可能になる。
【００５９】
［実施形態２］
次に、実施形態２を説明する。実施形態２では、実施形態１と異なる部分を説明する。
【００６０】
図１２は、実施形態２における電子機器２０１、電源ケーブル２０３および電池パック２０６に含まれる構成要素の例を説明するためのブロック図である。図１２において、図１と同様の構成要素には同一の番号を付し、それらの説明を省略する。
【００６１】
電子機器２０１は、図１２に示すように、演算部１０３、記憶部１０４、通信部１０６、電源部１０７、表示部１０８、通信端子１０９、正極端子１１１、負極端子１１２および制御部２０２を有する。ただし、演算部１０３、記憶部１０４および通信部１０６は、制御部２０２に含まれる。
【００６２】
電源ケーブル２０３は、図１２に示すように、ＤＣ／ＤＣコンバータ１１４、通信端子１１６、正極端子１１８、負極端子１１９、通信端子１２０、正極端子１２１、負極端子１２２、感温素子２０４（例：サーミスタ）および温度端子２０５を有する。
【００６３】
電池パック２０６は、図１２に示すように、演算部１２５、電圧検出部１２６、電流検出部１２８、記憶部１２９、通信部１３０、感温素子１３１（例：サーミスタ）、電池部１３２、抵抗器１３３、通信端子１３４、正極端子１３５、負極端子１３６、制御部２０７、温度検出部２０８および温度端子２０９を有する。ただし、演算部１２５、電圧検出部１２６、電流検出部１２８、記憶部１２９、通信部１３０および温度検出部２０８は、制御部２０７に含まれる。
【００６４】
ＤＣ／ＤＣコンバータ１１４の温度を感知する感温素子２０４は、温度端子２０５に電気的に接続されている。温度端子２０５は、電池パック２０６の温度端子２０９に接続され、電池パック２０６の制御部２０７にある温度検出部２０８に接続されている。温度検出部２０８は、電池部１３２の温度を検出すると共に、電源ケーブル２０３のＤＣ／ＤＣコンバータ１１４の温度を検出して演算部１２５に伝達する。
【００６５】
演算部１２５は、実施形態１の感温素子１３１の温度情報による電池部１３２の温度保護、残量の温度補正を行い、更に感温素子２０４の温度情報により、実施形態１に記載のデータテーブルの生成を行って記憶部１２９に伝達する。記憶部１２９は、演算部１２５からのデータテーブルの情報を記憶する。
【００６６】
電子機器２０１が動作を開始した後、電池パック２０６の制御部２０７は、記憶部１２９のデータテーブルを参照し、動作開始時の感温素子２０４の温度の推定残り使用時間が算出可能な場合には、推定残量と推定消費電力から推定残り使用時間を算出する。この推定残り使用時間のデータは通信部１３０から出力され、電子機器２０１の通信部１０６にされ、制御部２０２から表示部１０８に伝達されて表示される。
【００６７】
電子機器２０１が動作を開始した後、電池パック２０６の制御部２０７は記憶部１２９のデータテーブルを参照し、動作開始時の温度の推定残り使用時間が算出できない場合には、残量と実消費電力から残り使用時間を算出する。この残り使用時間のデータは通信部１３０から出力され、通信端子１３４、１２０および１１６を介して、電子機器２０１の通信端子１０９に伝達される。通信端子１０９から通信部１０６に伝達された残り使用時間の情報は、制御部２０２から表示部１０８に伝達されて表示される。
【００６８】
実施形態２のデータテーブルの生成フロー、残り使用時間の算出フロー、推定残り使用時間の算出フローについては実施形態１と同様のため省略する。
【００６９】
なお、本発明の実施形態は上述の実施形態１および２に限るものではなく、発明の要旨の範囲内であれば上述の実施形態１および２を変更または修正してもよい。
【符号の説明】
【００７０】
１０１  電子機器、１０８  表示部、１１３  電源ケーブル、
１１４  ＤＣ／ＤＣコンバータ、１１５  サーミスタ、１２３  電池パック、
１３２  電池部、２０１  電子機器、２０３  電源ケーブル、２０６  電池パック
【図１】
2019007804.tif 000003
【図２】
2019007804.tif 000004
【図３】
2019007804.tif 000005
【図４】
2019007804.tif 000006
【図５】
2019007804.tif 000007
【図６】
2019007804.tif 000008
【図７】
2019007804.tif 000009
【図８】
2019007804.tif 000010
【図９】
2019007804.tif 000011
【図１０】
2019007804.tif 000012
【図１１】
2019007804.tif 000013
【図１２】
2019007804.tif 000014